(57)【特許請求の範囲】
【請求項１】
デジタル無線周波数通信システムにおいてチャネル・パラメータを評価するための方法であって：
複数の被送信符号に関する複数の被受信符号を有する被受信フレームによって構成され、被受信情報部分と被受信フレーム品質指標とを有する信号を受信する段階；
前記複数の被受信符号のうち１つを、複数個の出力を有する復調器に入力する段階；
前記複数個の出力のうち少なくとも１つをメモリに格納する段階；
前記被受信情報部分を復調して、被復調情報部分を形成し、前記被受信フレーム品質指標を復調して被復調フレーム品質指標を形成する段階であって、前記被復調情報部分と前記被復調フレーム品質指標が被復調フレームを構成する段階；
前記被復調フレームの少なくとも一部分を再暗号化して、複数の被暗号化符号を有する被暗号化フレームを形成する段階；
前記複数の被暗号化符号の１つと、前記メモリに格納された前記複数個の出力のうち少なくとも１つとを比較する段階；および
前記比較に基づいて前記チャネル・パラメータを評価する段階；
によって構成されることを特徴とする方法。
【請求項２】
前記複数個の出力の各々が、前記複数の被受信符号の１つが前記複数の被送信符号の１つに対応する確率を表す値を有する請求項１記載の方法。
【請求項３】
前記複数個の出力のうち少なくとも１つを前記メモリに格納する前記段階が、前記最大確率を表す前記値を有する前記出力を格納する段階によって構成される請求項２記載の方法。
【請求項４】
前記チャネル・パラメータを評価する前記段階が、前記出力が前記複数の被暗号化符号の前記１つに対応するとき、前記最大確率を表す前記値を有する前記出力を選択する段階によって構成される請求項３記載の方法。
【請求項５】
前記チャネル・パラメータを評価する前記段階が、前記出力が前記複数の被暗号化符号の前記１つに対応しないとき、前記最大確率を表す前記値を有する前記出力を前記メモリから消去する段階によって構成される請求項３記載の方法。
【請求項６】
前記メモリ内の前記複数個の出力の少なくとも１つを格納する前記段階が、前記複数個の出力の各々を前記メモリに格納する段階によって構成される請求項２記載の方法。
【請求項７】
前記複数個の出力の各々の１つの出力を識別する段階であって、前記１つの出力が前記被暗号化符号により言及される段階によってさらに構成される請求項６記載の方法。
【請求項８】
前記チャネル・パラメータを評価する前記段階が、前記１つの出力を用いて前記チャネル・パラメータを評価する段階によって構成される請求項７記載の方法。
【請求項９】
前記チャネル・パラメータが、移動通信ユニットの速度，周波数オフセット，タイミング誤差，前記信号の被減衰振幅，前記信号の被減衰位相および追加ノイズの変動から基本的に構成される群から選択される請求項１記載の方法。
【請求項１０】
前記復調器が高速アダマール変換によって構成される請求項１記載の方法。
【発明の詳細な説明】
技術分野
本発明は、一般にワイヤレス通信システムに関し、さらに詳しくは、デジタル無線周波数通信システムにおいてチャネル・パラメータを評価するための方法および装置に関する。
発明の背景
デジタル無線電話システムなどの典型的なワイヤレス通信システムにおいては、コントローラと複数の送信機および受信機とを有する基地局は、この基地局によりサービスを受けるエリア内で動作する移動局と通信を行う。
基地局と移動局との間の多重接続ワイヤレス通信は、音声，データおよびビデオなどのデジタル通信信号が送信される物理的経路を提供する無線周波数（RF）チャネルを介して行われる。基地局から移動局への通信は順方向リンク・チャネルと称され、移動局から基地局への通信は逆方向リンク・チャネルと称される。
周知のRFデジタル・チャネル化法には、時分割多重接続（TDMA：time division multiple access）と符号分割多重接続（CDMA：code division multiple access）とがある。
CDMAチャネル化を用いる通信システムは、本明細書に参考文献として含まれる１９９３年７月発行のTIA/EIAの暫定規準IS-95「Mobile Station-Base Station Compatibility Standard for Dual-Mode Wideband Spread Spectrum Celluar System」（米国電気通信工業会；ワシントンD.C.）に詳細に説明される。
RFチャネルを介して電波送信媒体などの媒体を通じて通信信号を送信すると、被受信通信信号が当初送信された通信信号とは大きく異なる。第１図に示されるように、被送信通身信号S１２は、たとえばチャネル利得や位相シフトを表すゆっくりと変化するチャネル・パラメータにより、チャネル上での送信中に改変され、さらにはノイズN１６量を表すチャネル変数により変造されることがある。このため、被受信通信信号R１８は、R=AxS+Nなどの一次式により表されることが多い。
被受信信号R１８からの被送信通信信号S１２の回復品質を、ゆっくりと変化するチャネル・パラメータA１４を正確に評価することにより強化することができる。ゆっくりと変化するチャネル・パラメータA１４を正確に評価しないと、受信機の性能を著しく損なうことになる。
従って、デジタル・ワイヤレス通信システムにおいてゆっくりと変化するチャネル・パラメータを評価するための改善された方法および装置が必要である。
発明の概要
本発明のある局面により、デジタル無線周波数通信システムにおいてチャネル・パラメータを評価するための方法により上記の必要性が対応される。この方法は、複数の被受信符号を有する被受信フレームによって構成され、被受信情報部分と被受信フレーム品質指標とを有する信号を受信する段階；複数の被受信符号のうち少なくとも１つをメモリに格納する段階；被受信情報部分を復調して、被復調情報部分を形成し、被受信フレーム品質指標を復調して被復調フレーム品質指標を形成する段階であって、被復調情報部分と被復調フレーム品質指標が被復調フレームを構成する段階；被復調フレームの少なくとも一部分を再暗号化して、複数の被暗号化符号を有する被暗号化フレームを形成する段階；複数の被暗号化符号の１つと、メモリに格納された複数の被受信符号のうち少なくとも１つとを比較する段階；およびこの比較に基づいてチャネル・パラメータを評価する段階；を備える。
本発明の別の局面により、デジタル無線周波数通信システムにおいてチャネル・パラメータを評価する方法は：複数の被送信符号に関連する複数の被受信符号を有する被受信フレームによって構成され、被受信情報部分と被受信フレーム品質指標とを有する信号を受信する段階；複数の被受信符号の１つを、複数個の出力を有する復調器に入力する段階；複数個の出力のうち少なくとも１つをメモリに格納する段階；被受信情報部分を復調して被復調情報部分を形成し、被受信フレーム品質指標を復調して被復調フレーム品質指標を形成する段階であって、被復調情報部分と被復調フレーム品質指標とが被復調フレームを構成する段階；被復調フレームの少なくとも一部分を再暗号化して、複数の被暗号化符号を有する被暗号化フレームを形成する段階；複数の被暗号化符号の１つをメモリに格納された複数個の出力のうち少なくとも１つと比較する段階；およびこの比較に基づいてチャネル・パラメータを評価する段階；を備える。
本発明のさらに別の局面により、デジタル無線周波数通信システムにおいてチャネル・パラメータを評価するための装置は、被受信フレームを含む信号を受信するアンテナを具備する。被受信フレームは、複数の被受信符号を有する。複数の被受信符号のうち少なくとも１つを格納するメモリがアンテナに応答する。復調器は、被受信フレームに応答して、被復調フレームを形成する。リエンコーダは、被復調フレームに応答して、複数の被暗号化符号を有する被暗号化フレームを形成する。比較器は複数の被暗号化符号に応答し、メモリに格納された複数の被受信符号のうち少なくとも１つに応答する。
本発明のさらに別の局面により、デジタル無線周波数通信システムにおいてチャネル・パラメータを評価する装置は、被受信フレームを含む信号を受信するアンテナを具備する。被受信フレームは複数の被受信符号を有し、被受信情報部分と被受信フレーム品質指標とを有する。第１復調器は、複数個の出力を有して、複数の被受信符号のうち少なくとも１つに応答する。複数個の出力のうち少なくとも１つを格納するメモリは、第１復調器と通信状態にある。第２復調器は、第１復調器に応答して、被受信情報部分を復調し被復調情報部分を形成し、被受信フレーム品質指標を復調して被復調フレーム品質指標を形成する。被復調情報部分と被復調フレーム品質指標とは被復調フレームを構成する。再計算されたフレーム品質指標を演算するフレーム品質指標回路は被復調情報部分に応答する。第１比較器は第１入力，第２入力および出力を有し、第１入力が被復調フレーム品質指標に応答し、第２入力が再計算されたフレーム品質指標に応答する。リエンコーダは、比較器の出力に応答して、被復調フレームを暗号化し、複数の被暗号化符号を有する被暗号化フレームを形成する。第２比較器は複数の被暗号化符号に応答し、メモリに格納された複数個の出力のうち少なくとも１つに応答する。第２比較器評価装置に応答するチャネル・パラメータがチャネル・パラメータを出力する。
本発明の利点は、例証として図示および説明される本発明の好適な実施例の以下の説明から当業者には容易に理解頂けよう。本発明は、その他の異なる実施例が可能であることは言うまでもなく、その詳細は種々の点において修正が可能である。従って、図面および説明は、本来、例証であって制限事項とは見なされるべきものではない。
【図面の簡単な説明】
第１図は、送信中にチャネル・パラメータAおよびノイズNにより改変されて、被受信通信信号Rとなった被送信通信信号Sの例である。
第２図は、IS-95の逆方向リンク・チャネルと互換性をもつ通信信号波形を生成する送信機のブロック図である。
第３図は、毎秒９６００ビットの速度において送信するIS-95逆方向リンク・チャネル・フレームの図である。
第４図は、第２図の送信機により生成されるデジタル的に暗号化され挟み込まれたフレームの図である。
第５図は、本発明の好適な実施例により、第２図に説明される送信機により生成される通信信号波形を受信する受信機のブロック図である。
第６図は、第５図に図示されるIS-95逆方向リンク・チャネル受信機の被受信フレームの図である。
第７図は、第５図に図示される受信機で用いられるメモリの一実施例の図である。
第８図は、第５図に図示される受信機で用いられるメモリの代替実施例の図である。
第９図は、第５図に図示されるIS-95逆方向リンク・チャネル受信機内の被復調フレームの図である。
好適な実施例の詳細説明
図面内では同様の番号は同様の構成部品を示すが、これらの図面を参照して、第２図はIS-95の逆方向リンク・チャネルと互換性をもつ通信信号波形を生成する送信機１０のブロック図である。音声通信信号１７は、可変速度音声コーダ１９によりデータ・ビット・ストリームに変換され、音声コーダ１９は可変送信データ速度を有する一連の送信チャネル・フレーム（以下に詳細に説明する）によって構成される信号２１を生成する。各フレームの送信データ速度は、通信信号１７の特性に依存する。もちろん、通信信号１７は、別の種類の、たとえばデータまたはビデオでもよい。
第３図は、音声コーダ１９により生成され、毎秒９６００ビット（bps）の速度で送信されるIS-95逆方向リンク送信チャネルの図である（特に明記されない限り、本明細書のIS-95逆方向リンク・チャネルはすべて９６００bpsの送信速度に対応する）。フレーム２０は：１７２個の情報ビットを有する情報部分２２；IS-95において、セクション６．１．３．３．２．１に明記される多項式により情報部分２２から計算されるフレーム品質指標部分２４；および８個のエンコーダ・テール・ビット２６；を備える。
第２図を参照して、エンコーダ・ブロック２８は、畳込みエンコーダ３０およびインターリーバ３２を備える。畳込みエンコーダ３０においては、各フレーム２０はフレーム２０の後続の解読を容易にする周知のアルゴリズムを用いて１／３速度エンコーダにより暗号化される。インターリーバ３２は、周知の方法を用いてフレーム２０の内容を混ぜる動作を行う。
第４図に示されるように、デジタル的に暗号化され挟み込まれたビットの各フレーム３４は、６個のコード化ビットからなる９６個の群、すなわち合計５７６個のビットを含む。６個のコード化ビットの各群は、ウォルシュ・コードなど６４個の符号の１つに対する指標値３５を表す。ウォルシュ・コードは、６４ｘ６４のアダマール行列、すなわち２の累乗である寸法を有するビットの正方行列の１つの行または列に対応する。
第２図を参照して、フレーム３４内の９６個のウォルシュ・コード指標値３５の各々が、好ましくは６４数直交変調器であるＭ数直交変調器３６に入力される。入力された各ウォルシュ・コード指標値３５に関して、Ｍ数直交変調器３６は、出力３８において、対応する６４ビット・ウォルシュ・コードW３９を生成する。これにより、連続する９６個のウォルシュ・コードW３９が、Ｍ数直交変調器３６に入力される各フレーム３４に関して生成される。
スクランブラ／スプレッダ・ブロック４０は、とりわけ、周知のスクランブル法を用いて一連のウォルシュ・コードW３９に疑似乱数ノイズ（PN）数列を適応する。ブロック４２において、スクランブルされた一連のウォルシュ・コードW３９は、直角位相振幅変調過程またはその他の変調過程を用いて位相変調され、上方変換されて、通信信号S１２としてアンテナ４６から送信される。
第５図は、本発明の好適な実施例により構築される、第２図に示される送信機により生成される通信信号S１２を検出するIS−95の逆方向リンクと互換性のある受信機６０のブロック図である。受信機６０は、好ましくは、複数のフィンガを有するレーキ（RAKE）受信機であるが、フィンガは１つしか図示されない。受信機６０は、干渉性でも、非干渉性でも、疑似干渉性であってもよい。
アンテナ６２は、複数個の被受信フレーム（以下にさらに詳細に説明）によって構成される通信信号R１８を受信する。通信信号R１８は、第１図に関連して図示および説明されるように、式R１８=A14 x S12+N16により通信信号S１２に関連する。ただし、A１４はチャネル利得または位相シフトなどのゆっくりと変化するチャネル・パラメータであり、N１６はノイズ量を表すチャネル変数である。
通信信号R１８の濾波，周波数下方変換および位相復調などのフロントエンド処理は、周知の方法と回路とによりブロック６４において実行される。とりわけ、デスクランブラ／デスプレッダ・ブロック６６は、スクランブラ・ブロック４４（第２図に図示）により一連のウォルシュ・コードW３９に与えられたPNコードを排除する。IS-95逆方向リンク・チャネルにおいては、被受信信号１８の被受信フレーム（以下に詳細に説明）には、９６個の被受信符号またはウォルシュ・コードが含まれ、これらはそれぞれ６４ビットの長さをもつ。
第６図は、デスクランブラ／デスプレッダ・ブロック６６から出た被受信フレーム４５を表す図である。被受信フレーム４５は、９６個の被受信ウォルシュ・コードRW６８を備え、これらはたとえば、A１４（第１図に図示）などのゆっくりと変化するチャネル・パラメータおよびN１６（これも第１図に図示）などのチャネル変数により変造されている。さらに、被受信フレーム４５は、被受信情報部分４７，被受信フレーム品質指標４９および被受信エンコーダ・テールビット部分５１を有し、これらはいずれも、どの被受信ウォルシュ・コードRW６８とも明確な関連をもたない。
再び第５図を参照して、デスクランブラ／デスプレッダ６６を離れたあと、各被受信ウォルシュ・コードRW６８が、高速アダマール変換（FHT：Fast Hadamard Transform）などの直交復調器７０に入力される。FHT７０は、その規模に応じて、加算器のアレイまたは多重加算器などの市販のハードウェアを用いて実現することができる。あるいは、FHT７０をモトローラ社製DSP部品番号５６１６６号などの従来のデジタル信号プロセッサ（DSP）を利用して実現することもできる。
被受信ウォルシュ・コードRW６８を受信すると、FHT７０は複数個の出力信号７２を生成する。６４個の出力信号７２がIS-95逆方向リンク・チャネル内で受信されたウォルシュ・コードRW６８毎に生成される。各出力信号７２は、Ｍ数直交変調器３６（第２図に図示）により生成される６４個の可能なウォルシュ・コードW３９の１つを参照する指標値を有する。かくして、IS-95逆方向リンク・チャネルにおいては、被受信ウォルシュ・コードRW６８がFHT７０に入力されると、６４個の可能な被送信ウォルシュ・コード３９に相関する６４個の出力信号７２が生成される。指標値を有するだけでなく、各出力信号７２は関連する複素数Cも有することを理解頂きたい。簡便にするために、指標値および複素数を集合的に出力信号７２と呼ぶ。
各出力信号７２は、さらに関連のエネルギ値C2（図示せず）を有する。これは出力信号７２に関連する複素数Cを絶対値平方することにより計算されるのが普通である。エネルギ値C2は、一般に、FHT７０に入力される被受信ウォルシュ・コードRW６８に対応するウォルシュ・コードW３９を出力信号７２が指示する信頼性の尺度、すなわち確率に対応する。しかし、約２０％の場合は、最高の信頼度を表すエネルギ値C2は誤っている。すなわち、エネルギ値C2に関わる出力信号７２は、実際には送信されたウォルシュ・コードW３９を指示しない。
本発明の好適な実施例により、たとえばコンピュータにより読み取り可能な市販のランダム・アクセス・メモリなどのメモリ１１０が、受信機６０内のある点に配置される。図示されるように、メモリ１１０は、FHT７０に応答する。メモリ１１０は、FHT７０に入力される被受信フレーム４５毎に９６個の被受信ウォルシュ・コードRW６８の各々に関して、好ましくは６４個の出力信号７２の各々に関連する複素数Cを格納する。
第７図は、第５図に図示される受信機で用いられるメモリの一実施例の説明図である。
１つの被受信フレーム４５（第６図に図示）に関して、メモリ１１０は、９６行１１２および６４列１１４を有する行列とみなすことができる。各行１１２はFHT７０に入力された特定の被受信ウォルシュ・コードRW６８に対応し、各列１１４は出力信号７２に関連する６４個の複素数C１１６を表す。各複素数の指標値は、メモリ１１０内のその位置により閉めされる。
あるいは、メモリ１１０は、各被受信ウォルシュ・コードRW６８に関してFHT７０により生成される６４個の全出力信号７２よりも少ない信号を格納する。たとえば、メモリ１１０は被受信ウォルシュ・コードRW６８毎に１つの出力信号７２しか保持せず、その１つの出力信号７２は、セーブされる出力信号７２がFHT７０に入力される被受信ウォルシュ・コードRW６８に対応するウォルシュ・コードW３９を指示する最大の信頼度または最高の確率に対応するエネルギ値C2を有してセーブされる。
第８図は、第５図に図示される受信機６０で用いられるメモリ１１０の代替実施例の説明図である。図示されるように、１つの被受信フレーム４５に関わるメモリ１１０は、９６行１１８と１列１２０の行列とみなすことができ、各行は出力信号７２がFHT７０に入力された被受信ウォルシュ・コードRW６８に対応するウォルシュ・コードW３９を指示する最高確率に対応する出力信号７２を表す。メモリ１１０の各行は、複素数Cと、格納された出力信号７２に関連する指標値とを格納する。
再び第５図を参照して、デインターリーバ７８および畳込みデコーダ８０を含むデコーダ・ブロック７６は、さらに被受信信号R１８を復調し、一連のチャネル・フレームによって構成される被送信信号２１（第２図に図示）を評価して、一連の被復調フレーム（下記に詳細に説明）を形成する。デコーダ・ブロック７６は、様々な方法で実現することができる。たとえば、周知の方法によりハードウェアまたはソフトウェア内に実現される最尤デコーダをデコーダ・ブロック７６内に用いることができる。
第９図は、デコーダ・ブロック７６の出力８１に現れる被復調フレーム８５である。被復調フレーム８５は、被復調情報部分８６，被復調フレーム品質指標８８を備え、さらに被復調テール・ビット部分８９も備える場合がある。被復調情報部分８６は、被受信情報部分４７（第６図に図示）に対応し、被復調フレーム品質指標８８および被復調テール・ビット部分８９は、被受信フレーム品質指標４９および被受信テール・ビット部分５１にそれぞれ対応する（これも第６図に図示される）。
第５図を再び参照して、また必要に応じてさらに第１図ないし第４図および第５図および第９図を参照して、デマルチプレクサ９０は、フレーム８５の被復調情報部分８６を被復調フレーム品質指標８８から分離する。フレーム品質指標回路９２は、被復調部分８６を用いて、再演算されたフレーム品質指標９３を計算する。再演算されたフレーム品質指標９３は、次に比較器９４において被復調フレーム品質指標８８と比較され、特定の被復調フレーム８５が音声コーダ１９により生成された特定のチャネル・フレーム２０に一致するか否かが判定される。
被復調フレーム８５がチャネル・フレーム２０に一致しない場合は、それは不良となり、点９７においてスイッチ９６により廃棄される。
被復調フレーム８５が送信チャネル・フレーム２０と一致すると、被復調フレーム８５は通過する。被復調フレーム８５の解読に成功して通信信号S１２が回収されるが、被復調フレーム８５は、チャネル利得および位相シフトA１４などのチャネル・パラメータ情報をもはや含まず、これは後続のフレームに関して受信機性能を高めるために役立つ。
第５図に図示されるように、被復調フレーム８５は通過する。被復調情報部分８６は、点９１においてスイッチ９６によりリエンコーダ・ブロック９８に渡される。ブロック９８は、好ましくは、第２図に示されるエンコーダ・ブロック２８と実質的に同様である。かくして、リエンコーダ・ブロック９８を出る被暗号化フレーム３４は、基本的にフレーム３４（第４図に図示）の複製である。第４図に図示されるように、被暗号化フレーム３４は、６個のコード化ビットを最大９６群まで備え、６個のコード化ビットの各群は６４個のウォルシュ・コードの１つに対する指標値３５を表す。
再び第５図を参照して、データ・セレクタ１００が、リエンコーダ・ブロック９８から受信された特定のフレーム３４の特定の被暗号化指標値３５（第４図に図示）を、メモリ１１０に格納された被受信符号と比較する。メモリ１１０が第７図に関連して説明されたように形成される場合は、たとえば、データ・セレクタ１００は特定の被暗号化指標値３５を用いて、実際に送信されるウォルシュ・コードW３９に対応する複素数１１６を含むメモリ位置を言及する。言及された被格納出力信号７２は、データ・セレクタ出力１３１により、チャネル・パラメータ評価装置１３０に送られ、ゆっくりと変化するチャネル・パラメータ（以下に詳細に説明）を評価する。この過程は、メモリ１１０内の各行１１２に関して実行される。
メモリ１１０が第８図に関連して説明されたように形成される場合、すなわちFHT７０に入力された各被受信ウォルシュ・コードRW６８について被送信ウォルシュ・コードW３９を表す最高確率を有する出力信号７２が１つしか格納されない場合は、データ・セレクタ１００は特定の被暗号化指標値３５を格納された出力信号７２に対応する指標値と比較する。これらが一致しない場合は、一致しない被格納出力信号７２をメモリから消去して、データ・セレクタ出力１３１によりゼロが出力されるので、誤った出力信号７２はブロック１３０におけるゆっくりと変化するチャネル・パラメータの正確な評価を損なうことはない。一致する場合は、一致した被格納出力信号７２がデータ・セレクタ出力１３１により送られ、チャネル・パラメータ評価装置１３０においてゆっくりと変化するチャネル・パラメータの評価に用いられる。
第１図および第５図を参照して、チャネル利得または位相シフトを表す、A１４などのゆっくりと変化するチャネル・パラメータがブロック１３０で評価される。ゆっくりと変化するチャネル・パラメータA１４は、Rと複素共役数Sとの標準内積<R,S*>として概算される。Rの特定の表現法は、周知のものであり、複数個の被格納出力信号７２としてFHT７０の出力においてメモリ１１０内に捕捉される。格納されたRに対応するSの値は、リエンコーダ・ブロック９８を出る被暗号化フレーム３４（第４図に図示）の指標値３５により与えられる。データ・セレクタ１００が対応する指標値３５に一致した被格納出力信号またはゼロ値を、チャネル・パラメータ評価装置１３０に送るので、チャネル評価装置１３０における特定のフレームに関する<R,S*>の計算は、一般にノイズN１６の量だけ変造される。ノイズN１６からのエネルギを削減するために、チャネル・パラメータA１４の<R,S*>演算は、たとえば数フレームなどの時間期間にわたり平均化される。
第５図を参照して、チャネル・パラメータ評価装置１３０の出力１４１に応答する帰還ブロック１４０は、種々の方法でチャネル・パラメータ出力１４１を利用して、受信機性能を強化する。たとえば、チャネル・パラメータA１４の評価値は、レーキ受信機内のフィンガなどダイバーシチ要素間の組み合わせを改善して、特定の信号対雑音比におけるビットまたはフレーム誤差を削減することができる。別の例では、チャネル位相評価値により、干渉性受信機が被受信信号の絶対位相を得ることができ、これは次に被送信信号の位相を再構築するために用いられる。チャネル位相を正確に評価すると、特定の被受信信号対雑音比に関するビットまたはフレーム誤差が減少する。
たとえば、デジタル・ワイヤレス電気通信システムにおいて受信機の性能が強化されると、呼がより迅速に開設され、呼損失の発生が減る。受信機範囲の拡大も実現されて、呼のハンドオフが容易になる。
他の形態の、多くは非線形の被受信通信信号R１８が、タイミング誤差，移動局速度およびレーキ受信機フィンガなどの各ダイバーシチ要素に関する加算ノイズの変動などの他の目的のチャネル・パラメータについて存在する。このチャネル・パラメータやその他のチャネル・パラメータも、本発明の種々の実施例を用いることにより改善された評価から利点を得て、適切な評価装置に送られる改善されたデータが得られる。
セルラに基づくデジタル通信システムに適応される本発明の原則は、個人用通信システム，中継システム，衛星通信システムおよびデータ網などを含む他の種類の通信システムにも適応する。同様に、全種類のデジタル無線周波数チャネルに適応する本発明の原則は、無線周波数信号化チャネル，電子データ・バス，有線チャネル，光ファイバ・リンクおよび衛星リンクなど他の種類の通信チャネルにも適応する。
本明細書においては、IS-95逆方向リンク・チャネルが特に引用されたが、本発明は順方向リンクIS-95チャネルや、汎ヨーロッパ・デジタル化移動体通信システム（GSM：Groupe Special Mobile），ヨーロッパTDMAシステム，太平洋デジタル・セルラ（PDC：Pacific Digital Cellular），日本TDMAシステムおよび暫定規準５４（IS-54）すなわち米国TDMAシステムなどすべてのTDMAシステムにおけるすべての順方向と逆方向のリンクTDMAチャネルを含む任意のデジタル・チャネルに適応可能である。
さらに、本発明の他の形態および更なる形態と、上述の特定の実施例以外の実施例が、添付の請求項およびその等価物の精神および範囲から逸脱することなく考案されることは明白であり、それゆえ、本発明の範囲は添付の請求項およびその等価物によってのみ決定されるものとする。
【図１】
0003749733.tif 000002
【図２】
0003749733.tif 000003
【図３】
0003749733.tif 000004
【図４】
0003749733.tif 000005
【図５】
0003749733.tif 000006
【図６】
0003749733.tif 000007
【図７】
0003749733.tif 000008
【図８】
0003749733.tif 000009
【図９】
0003749733.tif 000010